(57)【要約】【課題】容易な操作のみで、例えばその時々に応じた送り手の気分や感情等を伝えることのできる自由度の高い手書きメッセージシステムを提供することを課題とする。【解決手段】メッセージ用紙Ｍに手書きで記載されたメッセージ情報及び選択されたイラスト情報を自動的に読み取る読み取り手段１１と、この読取手段１１によって読み取られたメッセージ情報及び選択されたイラスト情報を電子データ化する変換手段１２と、この変換手段１２により電子データ化されたメッセージ情報及び選択イラスト情報を送信する送信手段１６と、この送信手段１６から送信されたメッセージ情報及び選択イラスト情報を直接的に又は間接的に受信する受信手段４１と、この受信手段４１で受信されたメッセージ情報を選択されたイラストを付して表示する表示手段４４とを備えた手書きメッセージシステムを構築した。【選択図】図１
2004048296.tif 000002
【特許請求の範囲】
【請求項１】
メッセージ用紙に手書きで記載されたメッセージ情報及び選択されたイラスト情報を自動的に読み取る読み取り手段と、
この読取手段によって読み取られたメッセージ情報及び選択されたイラスト情報を電子データ化する変換手段と、
この変換手段により電子データ化されたメッセージ情報及び選択イラスト情報を送信する送信手段と、
この送信手段から送信されたメッセージ情報及び選択イラスト情報を直接的に又は間接的に受信する受信手段と、
この受信手段で受信されたメッセージ情報を選択されたイラストを付して表示する表示手段とを備えたことを特徴とする手書きメッセージシステム。
【請求項２】
メッセージを記載するメッセージ用紙と別体に設けた選択するイラストを読み取ることを特徴とする請求項１記載の手書きメッセージシステム。
【請求項３】
読み取り手段を用いて読み取った情報を修正する修正手段を有することを特徴とする請求項１または２記載の手書きメッセージシステム。
【請求項４】
ホームページにアクセスすることを契機として、メッセージ情報を選択されたイラストを付した状態で表示することを特徴とする請求項１乃至３記載の手書きメッセージシステム。
【請求項５】
広告情報を同時に表示することを特徴とする請求項１乃至４記載の手書きメッセージシステム。
【請求項６】
メッセージ用紙に手書きで書かれたメッセージ情報及び選択イラスト情報を自動的に読み取る読取手段と、
この読取手段によって読み取られたメッセージ情報及び選択イラスト情報を電子データ化する変換手段と、
この変換手段により電子データ化されたメッセージ情報及び選択イラスト情報を送信する送信手段とを具備してなる筆記用具。
【請求項７】
手書きによるメッセージ記入欄と、複数のイラスト欄と、このイラスト欄に記載されたイラストの中から送信したいイラストを選択する選択イラスト欄とを具備してなり、各欄に記載された情報が請求項６記載の筆記用具により読み取り可能なものであることを特徴とするメッセージ用紙。
【請求項８】
手書きによるメッセージ記入欄を有するメッセージ用紙と、このメッセージ記入欄に記入されたメッセージと関連付けて送信される複数のイラスト欄と、このイラスト欄に記載されたイラストの中から送信したいイラストを選択する選択イラスト欄とを有するメッセージ用紙とを別体に設けてなり、各欄に記載された情報が請求項６記載の筆記用具により読み取り可能なものであることを特徴とするメッセージ用紙。
【請求項９】
メッセージ用紙に手書きで記載されたメッセージ情報及び選択されたイラスト情報を自動的に読み取る読み取りステップと、
この読取ステップによって読み取られたメッセージ情報及び選択されたイラスト情報を電子データ化する変換ステップと、
この変換ステップにより電子データ化されたメッセージ情報及び選択イラスト情報を送信する送信ステップと、
この送信ステップから送信されたメッセージ情報及び選択イラスト情報を直接的に又は間接的に受信する受信ステップと、
この受信ステップで受信されたメッセージ情報を選択されたイラストを付して表示する表示ステップとを備えたことを特徴とする手書きメッセージ方法。
【請求項１０】
読み取り手段を用いて読み取った情報を修正する修正ステップを有することを特徴とする請求項９記載の手書きメッセージ方法。
【請求項１１】
ホームページにアクセスすることを契機としてメッセージ情報を選択されたイラストを付した状態で表示することを特徴とする請求項９または１０記載の手書きメッセージ方法。
【請求項１２】
広告情報を同時に表示することを特徴とする請求項９乃至１１記載の手書きメッセージ方法。
【請求項１３】
コンピュータを、メッセージ用紙に手書きで記載されたメッセージ情報及び選択されたイラスト情報を自動的に読み取る読み取り手段と、
この読取手段によって読み取られたメッセージ情報及び選択されたイラスト情報を電子データ化する変換手段と、
この変換手段により電子データ化されたメッセージ情報及び選択イラスト情報を送信する送信手段と、
この送信手段から送信されたメッセージ情報及び選択イラスト情報を直接的に又は間接的に受信する受信手段と、
この受信手段で受信されたメッセージ情報を選択されたイラストを付して表示する表示手段として機能させるための手書きメッセージプログラム。
【発明の詳細な説明】
【０００１】
【発明の属する技術分野】
本発明は、手書きで記入されたメッセージ内容を受け手のコンピュータに送信する際に好適に利用されるものである。
【０００２】
【従来の技術】
近年、電子メールの普及は目覚しいものがあるが、まだパーソナルコンピュータや携帯電話などの操作になれないものも多いのが実情である。このような人にも手軽に電子メールなどのメッセージ伝達方法を利用してもらうため、メッセージ用紙に手書きで書いたメッセージ情報を自動的に電子データ化できる電子ペンを利用して、手書きされたメッセージを携帯電話やパーソナルコンピュータ等に表示可能なテキストデータとして送信するシステムが開発されている。
【０００３】
【発明が解決しようとする課題】
しかし、このような文字のみのメッセージでは味気なく、無機質なものになりやすい。そこで、メッセージと共に電子ペンでイラスト等を手書きすることも考えられるが、素人には難しくまた面倒である。
【０００４】
一方、例えばポストカードのように、イラストが記載されたメッセージ用紙にメッセージを記載して予めメッセージ用紙に記載されたイラストと共にメッセージを送信することも考えられるが、これでは送り手がイラストを選択する余地がなく、自由度が低い。
【０００５】
【課題を解決するための手段】
そこで、本発明は、メッセージ用紙に手書きで記載されたメッセージ情報及び選択されたイラスト情報を自動的に読み取る読み取り手段と、この読取手段によって読み取られたメッセージ情報及び選択されたイラスト情報を電子データ化する変換手段と、この変換手段により電子データ化されたメッセージ情報及び選択イラスト情報を送信する送信手段と、この送信手段から送信されたメッセージ情報及び選択イラスト情報を直接的に又は間接的に受信する受信手段と、この受信手段で受信されたメッセージ情報を選択されたイラストを付して表示する表示手段とを備えたことを特徴とする手書きメッセージシステムである。
【０００６】
これにより，送り手が予め定められたイラストの中から送信したいイラストを選択するという容易な操作のみで、例えばその時々に応じた送り手の気分や感情等を伝えることのできる自由度の高い手書きメッセージシステムを構築することができる。
【０００７】
加えて、ポストカードのように一枚のメッセージ用紙に一のイラストを付したものを製造すると、イラストごとに異なるメッセージ用紙を製造する必要があるが、例えば複数のイラストから選択可能な状態とすることで、品種を少なくして製造コストを抑えることが可能となる。
【０００８】
更に、選択するイラストを、メッセージを記載するメッセージ用紙と別体に設けることで、メッセージを記入する領域を広く設けることができる。
【０００９】
加えて、読み取り手段を用いて読み取った情報を修正する修正手段を有することにより、記載した内容と異なる場合に修正して情報の正確性を高めることができる。
【００１０】
また、ホームページにアクセスすることを契機としてメッセージ情報を選択されたイラストを付して表示することにより、ホームページを閲覧できるものであればメッセージの受け手側の機器がどのような機種であるかを考慮することなく、例えば画像データである選択したイラストを付したメッセージを編集することができる。
【００１１】
具体的には、付加価値として広告情報を同時に表示することも考えられる。
【００１２】
【発明の実施の形態】
以下、本発明の一実施形態を、図１から図１６を参照して説明する。
【００１３】
１．機器構成
図１は、この実施の形態における全体システムを示した構成図である。このシステムは、送り手側が手書きしたメッセージ及び選択したイラストを、受け手側であるユーザー端末装置Ｐ４へと表示するためのものである。
【００１４】
Ｐ１は、他の人にメッセージを送りたい送り手がメッセージ用紙Ｍに記入するために使用する情報処理機能を有する筆記用具たる電子ペンＰ１であり、Ｐ２は、前記送り手の家庭内等に設置された情報処理装置Ｐ２である。そして、この電子ペンＰ１、メッセージ用紙Ｍ、及び情報処理装置Ｐ２が送り手側の装置として機能する。Ｐ３は、前記情報処理装置Ｐ２と通信可能に接続されたサーバ装置Ｐ３であり、送り手側の情報処理装置Ｐ２から送信された前記メッセージ情報等を受信し、メッセージを受け取る受け手側のコンピュータ（以下ユーザ端末装置Ｐ４という）へメッセージ及びイラストを送信するものである。そして、Ｐ４は、このメッセージ等を受け取る受け手側のユーザ端末装置Ｐ４である。
【００１５】
更に、情報処理装置Ｐ１、サーバ装置Ｐ２、ユーザ端末装置Ｐ３とは、互いにインターネット等の通信ネットワークを介して双方向通信可能に接続されている。以下各構成について詳述する。
【００１６】
電子ペンＰ１は、送り手がメッセージ用紙Ｍにメッセージを記入したり、イラストを選択したりする際に利用するもので、図２に示すように、ペン先部１０１を有し、筆記可能に構成されたものであり、さらに内部に、ＣＰＵ１０２、内部メモリ１０３、ワイヤレストランシーバ等の通信インターフェース１０４、ＣＭＯＳカメラ１０５、筆圧センサー１０６、図示しないバッテリ等を備えたものである。なお、ＣＭＯＳカメラ１０５は、図示しない赤外線照射部を備えており、この赤外線照射部で照射してペン先部１０１の近傍であるメッセージ用紙の所定範囲を撮影可能に設定されている。また、筆圧センサー１０６は、ペン先部１０１に接続して筆記時にこのペン先部１０１の先端部にかかる一定以上の筆圧を検知してその検知信号を発生するように設定されている。
【００１７】
また、本実施形態において使用するメッセージ用紙Ｍは、送り手が受け手側に伝えたいメッセージを記入したり、このメッセージと共に送りたいイラストを選択したりするための用紙である。具体的には、図３に示しているように、一枚の用紙に前記手書きメッセージを記入する領域であるメッセージ記入欄Ｗ１と、このメッセージと共に受け手へと送信されるイラストを表示したイラスト表示欄Ｗ２と、このイラスト表示欄Ｗ２に表示された複数のイラストの中から送り手が送りたいイラストを選択するイラスト選択欄Ｗ３と、このメッセージなどを受けとるユーザ端末装置Ｐ４を特定するための宛先記入欄Ｗ４とを有している。また、このメッセージ用紙Ｍに記入された情報が新たな用紙に記載された情報であることを情報処理装置Ｐ２に知らせるための機能を有するクリア欄Ｗ５と、加えて、このメッセージ記入欄Ｗ１等に必要な情報を記入した後、情報処理装置Ｐ２に送信をすることを許可する場合にチェックマークを記入する送信欄Ｗ５とが設けられている。
【００１８】
詳述すると、メッセージ記載欄Ｗ１は手書きにて文字を入力する領域であり、また、イラスト表示欄Ｗ２には複数の異なるイラストが選択可能な状態に予め描かれている。更に、イラスト選択欄Ｗ３は、各イラストの近傍に設けられており、このイラスト選択欄Ｗ３にチェックマークを入れることにより送り手の送信したいイラストを選択できる機能を有するものである。また、本実施形態における宛先記入欄Ｗ４には、電子メールアドレスを記入するようにしている。
【００１９】
更に、このメッセージ用紙Ｍは、当該メッセージ用紙Ｍ上における位置情報を与え得る位置情報提供手段たるドットパターンＤＰを備えたものである。ドットパターンＤＰは、メッセージ用紙Ｍの表面の略全体に印刷されているものであり、図４にその一部拡大図を示すように、一定の法則により配置された微少な円形状の無数のドットｄからなり、これらドットｄの所定範囲内（例えば２ミリ四方）における配置パターンによって、各欄に記載されたものを平面的な絶対位置を判別可能にしたもので、例えば、図示例のように、印刷されていない縦横に等間隔に走る罫線（図中想像線で示している）の交点を基準点として設定しておき、この基準点からのドットｄの相対的な位置関係を利用してパターンとしたものなどである。なお、本実施形態において、このドットパターンＤＰは、カーボンインクによって印刷されたものであるが、例えば、透明であり且つ後述する読取手段１１として機能するＣＭＯＳカメラ１０５の赤外線照射部よって、所定波長の光を照射されて当該ＣＭＯＳカメラ１０５に読み取り可能な光を発光するインクたる発光インクによって印刷するようにして、ドットパターンＤＰが、メッセージ用紙Ｍから目立たないようにしたようなものであってもよい。また、少なくとも前記メッセージ記入欄Ｗ１及びイラスト選択欄Ｗ２、クリア欄Ｗ３、送信欄Ｗ４のみに印刷されていてもよい。
【００２０】
情報処理装置Ｐ２は、家庭内等に設置される画面表示機能、通信機能等を有した汎用のパーソナルコンピュータであって、前記電子ペンＰ１と、ブルートゥース等の無線ＬＡＮによって通信可能に接続されているものである。詳述すると、図５に示すように、ＣＰＵ２０１、内部メモリ２０２、ＨＤＤ等の外部記憶装置２０３、ディスプレイ２０４、モデムや無線通信の通信部を含む通信インターフェース２０５、マウス、キーボードなどの入力装置２０６等を有する。
【００２１】
サーバ装置Ｐ３は、本実施の形態では、情報処理装置Ｐ２と略同様の機器構成（図示しない）をしたもので、メールサーバ機能及びＷＷＷサーバ機能等を有したコンピュータである。
【００２２】
ユーザ端末装置Ｐ４は、メッセージの受け手の有する装置であり、例えば、携帯電話や携帯端末装置などが挙げられる。このユーザ端末装置Ｐ４は、画面表示機能、通信機能等を有したものであり、具体的には図示しないＣＰＵ、内部メモリ、ディスプレイ、モデムなどの通信部などを含む通信インターインターフェース、キーボードなどの入力装置等を有する。尚、その他汎用のパーソナルコンピュータに替えて使用しても良い。
【００２３】
２．概略機能
次に電子ペンＰ１や情報処理装置Ｐ２等の各装置の有する機能について図６を用いて詳述する。
【００２４】
電子ペンＰ１は、そのメモリ等に記憶させたプログラムにしたがってＣＰＵ１０１や、その他の機器が作動し、読取手段１１、変換手段１２、初期化手段１３、確認手段１４、記憶手段１５、送信手段１６としての機能を少なくとも発揮するものである。
【００２５】
読取手段１１は、メッセージ用紙Ｍの各記入欄内に記入され始めると同時に、記載された情報を自動的に読み取るものである。具体的には、読取手段１１は、筆圧センサー１０６に一定以上の筆圧が検知されたことを開始信号として、このメッセージ用紙Ｍに記入する過程でペン先部１０１の動きに合わせて、ペン先部１０１付近に設けられたＣＭＯＳカメラ１０５によって記入されていくメッセージ情報等の近傍の所定範囲を次々と撮影し、その撮影された範囲のドットパターンＤＰをメッセージ用紙Ｍ上での位置情報として読み取っている。
【００２６】
変換手段１２は、読取手段１１によって読み取られたメッセージ情報、選択イラスト情報、宛名情報、初期化情報、送信開始情報等を軌跡データとして電子データ化するものである。すなわち、その記載された情報がメッセージ用紙Ｍのどの位置に書かれているかという情報を示すものである。
【００２７】
初期化手段１３は、前回記載されたメッセージ内容や選択したイラスト等の情報を初期化し、今回新たにメッセージ内容を記載し始めることを認識させる機能を有するもので、具体的には、クリア欄Ｗ５へのチェックマークの記入が、ＣＭＯＳカメラ１０５によって撮像されたかどうかを確認するものである。ここで、確認された初期化情報は、後述する記憶手段１５に一旦記憶される。
【００２８】
確認手段１４は、後述する送信手段１６を用いて軌跡データの送信許可を意味する、チェックマークの記入が、メッセージ用紙Ｍの送信欄Ｗ６の中になされているかどうかを確認するもので、具体的には、送信欄Ｗ６へのチェックマーク記入が、読取手段１１によって位置情報と筆圧情報として、読み取られたかどうかを確認するものである。そして、送信欄Ｗ６へのチェックマーク記入の読み取りを確認した場合には、後述する記憶手段１５に記憶されたメッセージ情報、選択イラスト情報、宛名情報、初期化情報を送信する旨の送信開始信号を後述する送信手段１６へと送信する。
【００２９】
記憶手段１５は、前記変換手段１２によって、電子データ化された各種情報を少なくとも一時的に記憶するものである。この記憶手段１４は、内部メモリ１０３が担っている。当該記憶手段１５で記憶されている情報は、電子ペンＰ１のペン先の軌跡に相当するものであり、すなわち図７に示すようにそのメッセージ等の記入に伴って順次ＣＭＯＳカメラ１０５に撮像されたドットパターンＤＰの組み合わせに相当する。なお、この図７における記入された情報の位置情報欄に示すように、便宜上それぞれのドットパターンＤＰを５桁の数字に対応させて模式的に示している。
【００３０】
送信手段１６は、前記確認手段１４が送信した送信開始信号を受信すると、これを契機として記憶手段１５に記憶された軌跡データ形式のメッセージ情報、選択イラスト情報、宛先情報、初期化情報を読み出して送信するものである。この送信は、本実施形態では、ブルートゥースによって行われるもので、通信インタフェース１０４を利用している。
【００３１】
情報処理装置Ｐ２は、その内部メモリ２０２やＨＤＤなどの外部記憶装置等２０３に記憶させたプログラムにしたがってＣＰＵ２０１や、その他周辺機器が作動し、受信手段２１と、変換手段２２、記憶手段２３と、表示手段２４と、修正手段２５と、送信手段２６としての機能を少なくとも発揮するものである。
【００３２】
受信手段２１は、電子ペンＰ１の送信手段１５から送信された各種情報を受信するものである。
【００３３】
変換手段２２は、ＯＣＲ処理によって、軌跡データを読み取り、メッセージ情報、宛先情報としてテキストデータに変換するものである。
【００３４】
また、受信手段２１を用いて受信した選択イラスト情報の位置情報を基に、選択されたイラストと対応付けられたイラスト識別子へと変換する。具体的には、後述する記憶手段２３に蓄積された情報、つまり、予めイラスト毎に設定されているイラスト識別子をそのイラストを指名するためにマークを記入する所定領域である各イラスト選択欄Ｗ３の位置情報に関連付けて記憶している情報を基に電子ペンＰ１から送信されてきたイラストと対応付けられたイラスト識別子へと変換する。なお、図８においても、図７に示したものと同様に、イラスト選択欄Ｗ３の位置情報として、イラスト選択欄Ｗ３が設定されているメッセージ用紙Ｍ上の位置に存在するドットパターンＤＰを数字に対応させて模式的に示している。
【００３５】
記憶手段２３は、ＨＤＤなどの外部記憶装置２０３の所定の記憶領域に、電子ペンＰ１から送信されてきた情報等を記憶する機能を有するものである。
【００３６】
詳述すると、前記変換手段２２によって変換されたテキストデータ形式のメッセージ情報及び宛先情報を前記選択イラスト情報と共に記憶するものである。また、前述の通り図８に示すように、まず所定の領域に、予めイラスト毎に設定されているイラスト識別子をそのイラストを指名するためにマークを記入する所定領域である各イラスト選択欄Ｗ３の位置情報に関連付けて記憶しているものである。
【００３７】
表示手段２４は、図９に示すように、表示制御信号に基づいて、前記記憶手段２３で記憶されたメッセージ情報、選択イラスト情報、宛名情報、送り手名を情報処理装置Ｐ２のディスプレイ２０４に表示するものである。
【００３８】
訂正手段２６は、前記表示手段２５で表示された画面を見た送り手が、自分が記載したメッセージ、選択したイラスト、或いは送り手の送り手名と異なるものが表示されていると判断した場合に、その送り手がキーボード等からなる入力手段２０６を用いて入力した訂正情報を受け付けて、各種情報をサーバ装置Ｐ３に送信する前に訂正更新するものである。そして、訂正された情報は、再度画面に表示され送り手が確認を行えるようになっている。
【００３９】
送信手段２６は、送り手が情報処理装置Ｐ２を操作することにより通信インターフェース２０５を介して、前記記憶手段２３に記憶された各種情報を、インターネットＮＥＴなどの通信ネットワークを介して、サーバ装置Ｐ３に送信するものである。なお、前記訂正及び送信操作を行うものは送り手に限らず、情報処理装置Ｐ２の操作に慣れた他の者が変わりに行ってもよい。
【００４０】
サーバ装置Ｐ３は、その図示していない内部メモリや記憶装置等に記憶させたプログラムに従って図示していないＣＰＵや、その他周辺機器が作動し、受信手段３１、記憶手段３２、情報処理手段３３と、送信手段３４としての機能を少なくとも発揮するものである。
【００４１】
受信手段３１は、前記情報処理装置Ｐ２から送信された各種情報を、インターネットＮＥＴなどのネットワークを介して受信するものである。
【００４２】
記憶手段３２は、メッセージ情報や選択イラスト情報等を各種領域に蓄積するものである。具体的には、図１０に示すように、情報の送信元である情報処理装置Ｐ２を識別する情報処理装置識別子を基に、送り手名、メッセージＮｏ、メッセージ情報、選択イラスト情報（イラスト識別子）、宛先情報及び後述するＵＲＬとを記憶するものである。
【００４３】
情報処理手段３３は、送り手から送信されてきたメッセージ情報を選択されたイラストを付した状態で送り手側のユーザ端末装置Ｐ４に表示させるための処理を行う機能を有するものであり、受け手に送りたい情報を掲載したホームページを作成する編集手段と、この編集手段により作成したホームページのＵＲＬを電子メール形式で受け手に知らせるためのメール作成手段とから構成される。
【００４４】
詳述すると、編集手段３３ａは、送り手から送信されてきたメッセージ情報を選択されたイラスト及び広告情報を付した状態で表示するホームページを作成し、特定のＵＲＬを付与する機能を有するものである。
【００４５】
メール作成手段３３ｂは、前記編集手段３３ａにて作成したホームページとリンクを張ったＵＲＬを記載したメールを作成する機能を有するものであり、記憶手段３２に記憶した宛先情報に基づいて送信先を確定する。
【００４６】
送信手段３４は、主として通信インターフェース等から構成され、前記メール作成手段３３ｂを用いて作成した電子メールおよび前記編集手段３３ａを用いて作成したホームページ上の情報を、インターネットＮＥＴなどの通信ネットワークを介して、ユーザ端末装置Ｐ４に送信するものである。
【００４７】
ユーザ端末装置Ｐ４は、受信手段４１、記憶手段４２、ホームページアクセス手段４３、表示手段４４としての機能を少なくとも有しているものである。
【００４８】
受信手段４１は、サーバ装置Ｐ３から送信されてくる電子メールや、メッセージ情報やイラスト情報等を受信するためのものであり、主として通信インターフェースを用いてインターネット等のネットワークに接続しサーバ装置Ｐ３と通信可能にするためのものである。
【００４９】
記憶手段４２は、前記サーバ装置Ｐ３から送信されてきた情報を少なくとも一時的に記憶するものである。
【００５０】
ホームページアクセス手段４３は、サーバ装置Ｐ３から送信されてきたＵＲＬアクセスするための手段、つまりメッセージ情報及び選択イラスト情報を得るための手段であり、電子メール上に貼り付けられたＵＲＬを押下することを契機としてそのＵＲＬへのアクセスを開始するものである。主としてキーボード等の入力手段及び通信インターフェース等から構成される。
【００５１】
表示手段４４は、液晶やＣＲＴ等の各種ディスプレイが使用される。この表示手段４４には、メッセージ表示部４４ａ、イラスト表示部４４ｂ、広告表示部４４ｃを有しており、表示制御信号を受信することにより送り手から送信された情報を一画面上に同時に表示する。
【００５２】
３．動作例
次に本実施形態のシステムの動作例を説明する。
【００５３】
まず送り手は、電子ペンＰ１を用いてメッセージ用紙Ｍに記載された案内に沿って各種情報を記載する。具体的には、初めにクリア欄Ｗ５にチェックマークを入れて記入を開始する。そしてその後、受け手に送りたいメッセージ、受け手の有するユーザ端末装置Ｐ４の電子メールアドレスを手書きで記入する。そして、送信したいイラストの近傍にあるイラスト選択欄Ｗ３にチェックマークを入れ、すべての記載が終わった段階で送信欄Ｗ６にチェックマークを記入する。
【００５４】
この場合の電子ペンＰ１の動作を図１１に示すフローチャートに従って以下に述べる。
【００５５】
まず、マーク記入の動作と同時に、電子ペンＰ１内に設けられた筆圧センサー１０５が筆圧を検知して（Ｓ１）、読取手段１１を構成するＣＭＯＳカメラ１０４によってペン先部１１の動きに合わせドットパターンＤＰの撮像を開始する。（Ｓ２）。
【００５６】
次に、これら撮像されたドットパターンＤＰに基づく軌跡データ形式の情報を生成し（Ｓ３）、内部メモリ１０３に記憶する（Ｓ４）。
【００５７】
そして、送信欄Ｗ６へ記入されたチェックマークの読取が確認された場合には、これを送信開始信号として送信プログラムが起動する（Ｓ５）。
【００５８】
そして、内部メモリ１０３に記憶された各種情報を、ブルートゥースを介して、情報処理装置Ｐ２に送信する（Ｓ６）。
【００５９】
次に情報処理装置Ｐ２の動作を図１２に示すフローチャートに従って以下に説明する。
【００６０】
まず、電子ペンＰ１から送信された前記メッセージ情報等を受信する。（Ｓ１０１）。
【００６１】
次に、受信した軌跡データをＯＣＲ処理し、テキストデータ形式の情報へと変換すると共に、イラスト選択欄Ｗ３へのチェックマークの位置情報から選択されたイラスト情報を判断して、各種情報を前記記憶手段２２に記憶し（Ｓ１０２）、そのメッセージ情報及び選択イラスト情報、受け手を特定する宛名情報である電子メールアドレス、並びに送り手名をディスプレイ２０４に表示する（Ｓ１０３）。ここで、マウスやキ−ボードなどの入力装置２０６を通じて修正の入力を受け付けた場合は（Ｓ１０４：Ｙ）、各種情報を修正更新して記憶する。そして、送信指示である送信信号の入力を受け付けると（Ｓ１０５）、自己の情報処理装置識別子と共に、一旦記憶手段２４で記憶されたメッセージ情報と、選択イラスト情報と、宛名情報とを一のメッセージとして関連付けた状態とし、インターネットＮＥＴなどの通信ネットワークを介してサーバ装置Ｐ３に送信する（Ｓ１０６）。
【００６２】
次にサーバ装置Ｐ３の動作を図１３に示すフローチャートに従って説明する。
【００６３】
まず、情報処理装置Ｐ２から送信された一連のメッセージ情報、選択イラスト情報、宛名情報を、情報処理装置Ｐ２を識別する情報処理装置識別子とともに受信して（Ｓ２０１）記憶手段３２に一旦記憶する（Ｓ２０２）。
【００６４】
そして、図１６に示すように、情報処理手段３３を用いて予め定められたレイアウトに従って自動的に記憶手段３２に蓄積されたメッセージ情報を選択されたイラストを付した状態で表示し、更には同一の画面上に予め記憶しておいた広告情報を付加した状態の画面を編集し（Ｓ２０３）、特定のＵＲＬと関連付けた状態で記憶手段３２に記憶する。
【００６５】
そして次に、受け手に対して編集したメッセージ等を伝えるための電子メールを作成する（Ｓ２０４）。具体的には、図１５に示すように、本文中に前記編集ステップにおいて作成したＵＲＬへリンクを張った状態のＵＲＬを記載すると共に、記憶手段３２に記憶した宛先情報を読み出し、この宛先情報に基づいて受け手の電子メールアドレスを特定して電子メールを作成する。
【００６６】
電子メールを作成し終わると、即時または送り手から送信日時を特定されている場合にはその日時にユーザ端末装置Ｐ４へと送信する（Ｓ２０５）。
【００６７】
一方、受け手は、この電子メールを受信すると（Ｓ３０１）、ユーザ端末装置Ｐ４を用いて本文中のＵＲＬを押下する（Ｓ３０２）。
【００６８】
サーバ装置Ｐ３は、このＵＲＬの押下を契機としてユーザ端末装置Ｐ４からのアクセスを受け付けると（Ｓ２０６：Ｙ）、前記編集ステップにおいて作成した画面をユーザ端末装置Ｐ４へと送信する（Ｓ２０７）。
【００６９】
一方、ユーザ端末装置Ｐ４は、このメッセージ情報、選択イラスト情報、広告情報を掲載した画面を受信すると（Ｓ３０３）、図１６に示すように、表示手段４４を用いてディスプレイにその内容を表示する（Ｓ３０４）。
【００７０】
以上のように構成した実施形態によれば、これにより，送り手が予め定められたイラストの中から送信したいイラストを選択するという容易な操作のみで、例えばその時々に応じた送り手の気分や感情等を伝えることのできる自由度の高い手書きメッセージシステムを構築することができる。
【００７１】
加えて、ポストカードのように一枚のメッセージ用紙に一のイラストを付したものを製造すると、イラストごとに異なるメッセージ用紙を製造する必要があるが、例えば複数のイラストから選択可能な状態とすることで、品種を少なくして製造コストを抑えることが可能となる。
【００７２】
更に、選択するイラストを、メッセージを記載するメッセージ用紙と別体に設けることで、メッセージを記入する領域を広く設けることができる。
【００７３】
加えて、読み取り手段を用いて読み取った情報を修正する修正手段を有することにより、記載した内容と異なる場合に修正して情報の正確性を高めることができる。
【００７４】
また、ホームページにアクセスすることにより前記受信手段で受信されたメッセージ情報を選択されたイラストを付して表示することにより、ホームページを閲覧できるものであればメッセージの受け手側の機器がどのような機種であるかを考慮することなく、選択したイラストを付したメッセージを編集することができる。
【００７５】
更に、広告情報を同時に表示することにより付加価値を高めることができる。
【００７６】
なお、本発明の実施の形態は上記のものに限られるものではない。以下に本発明による他の実施形態を図１７及び１８を参照して説明する。なお、以下の説明中、前記実施形態に対応するものには同一の符号を付すものとする。
【００７７】
本実施形態においては、メッセージ記載欄Ｗ１と、イラスト欄Ｗ２、イラスト選択欄Ｗ３とを同一のメッセージ用紙上に設けていたが、図１７に示すように、メッセージ記載欄Ｗ１を設けたメッセージ用紙Ｍとは別体にイラスト欄Ｗ２、イラスト選択欄Ｗ３を設けることが考えられる。
【００７８】
具体的には、複数のメッセージ用紙Ｍを有するノートＮを構成し、その表表紙の裏面側に複数のイラスト及びイラスト選択欄を設けることが考えられる。尚、別体に設けるイラストは、表紙の裏側に限らず一枚目の用紙に設けて同一のノートに綴っておいても良いし、更には、このノートからも別体としてもよい。このように構成することにより、メッセージ用紙にイラストを記載する領域を設ける必要がなくなるため、メッセージを記載する欄を広く設けることができる。
【００７９】
更に、本実施形態においては、イラストが送り手の感情を表すものとしている。つまり、例えば、▲１▼ウインク、▲２▼わらう、▲３▼こまった、▲４▼おこったなどのイラストとすることで、送り手の感情等を一見して表せるものとしている。
【００８０】
また、本実施の形態においては、選択したいイラストの近傍に設けたイラスト選択欄Ｗ３にチェックマークを入れる構成としているが、選択したいイラストを示す情報、例えば数字などを記入する形式としてもよいし、更には、「笑った顔」などメッセージと共に表示したいイラストを文字にて入力してもよい。
【００８１】
加えて、本実施の形態においては、所定のＵＲＬにアクセスさせることによりメッセージ情報および選択イラスト情報を送信しているが、メール形式にて送信することも考えられる。
【００８２】
また、本実施形態においては、メッセージ記入欄Ｗ１に記載されたメッセージ情報をテキストデータに変換してユーザ端末装置Ｐ４に表示しているが、変換せずにそのまま手書きの画像データとして表示しても良い。
【００８３】
加えて、本実施形態においては、情報処理装置Ｐ２とサーバ装置Ｐ３を別体に設けているが、双方の機能を有する一体の装置にて構成しても良い。
【００８４】
更には、読取手段１１については、電子ペンＰ１に手書き書込時に超音波を発する機能を設ける一方、その超音波を感知してペン先部１０１の位置を認識する機能を設ける構成としたり、電子ペンＰ１の動きを磁気的、感圧的又は静電気的に検知して入力軌跡を判別し得るようにするなど、適宜の方式を採用することができる。さらに、例えばペン先部１０１等でなぞったメッセージ用紙Ｍ表面の情報を光学的に読み取り解析するとともに、ペン先の動きを解析することによって入力軌跡をデータ化し、Ｂｌｕｅｔｏｏｔｈ等により送信するような態様のものも適用することができる。
【００８５】
また、電子ペンＰ１の変換手段１２を、画像データたる軌跡データをさらにテキストデータ化するようなものとし、送信手段１５が変換手段１２によって変換されたテキストデータ形式の情報を送信するように構成してもよい。
【００８６】
加えて、本実施形態における電子ペンＰ１の送信手段１６は、ブルートゥースなどの無線を介して送信可能なものであったが、この送信手段１６をインターネットＮＥＴなどの通信ネットワークを介して送信可能なものに構成してもよい。
【００８７】
また、電子ペンをインク等を備えないペン先部を有するものに構成するとともに、メッセージ用紙を上述したようなドットパターンＤＰ等の位置情報提供手段を備えた透明のカバーとメッセージ用紙本体とを備えて構成し、このカバーの上から前記ペン先部でなぞるようにしてマークを記入するようにしたものであってもよい。
【００８８】
なお、本発明は上記実施形態の態様に限られるものではない。その他、各部の具体的構成についても上記実施形態に限られるものではなく、本発明の趣旨を逸脱しない範囲で種々変形が可能である。
【００８９】
【発明の効果】
本発明は、メッセージ用紙に手書きで記載されたメッセージ情報及び選択されたイラスト情報を自動的に読み取る読み取り手段と、この読取手段によって読み取られたメッセージ情報及び選択されたイラスト情報を電子データ化する変換手段と、この変換手段により電子データ化されたメッセージ情報及び選択イラスト情報を送信する送信手段と、この送信手段から送信されたメッセージ情報及び選択イラスト情報を直接的に又は間接的に受信する受信手段と、この受信手段で受信されたメッセージ情報を選択されたイラストを付して表示する表示手段とを備えたことを特徴とする手書きメッセージシステムである。
【００９０】
これにより，送り手が予め定められたイラストの中から送信したいイラストを選択するという容易な操作のみで、例えばその時々に応じた送り手の気分や感情等を伝えることのできる自由度の高い手書きメッセージシステムを構築することができる。
【図面の簡単な説明】
【図１】本発明の一実施の形態における全体機器構成図。
【図２】同実施の形態における電子ペンの構成図。
【図３】同実施の形態におけるメッセージ用紙の構成図。
【図４】同実施形態における投票用紙のドットパターンを示す拡大説明図。
【図５】同実施の形態における情報処理装置の内部構成図。
【図６】同実施の形態における機能構成図。
【図７】同実施形態における各種情報の位置情報を示す模式図。
【図８】同実施形態における選択イラスト情報の相関模式図。
【図９】同実施の形態における情報処理装置の画面図。
【図１０】同実施の形態におけるサーバ装置の記憶マップ。
【図１１】同実施の形態における電子ペンの動作を示すフローチャート。
【図１２】同実施の形態における情報処理装置の動作を示すフローチャート。
【図１３】同実施の形態におけるサーバ装置の動作を示すフローチャート。
【図１４】同実施の形態におけるユーザ端末装置の動作を示すフローチャート。
【図１５】同実施の形態におけるユーザ端末装置の画面表示図。
【図１６】同実施の形態におけるユーザ端末装置の画面表示図。
【図１７】他の実施の形態におけるメッセージ用紙の構成図。
【図１８】他の実施の形態におけるユーザ端末装置の画面表示図。
【符号の説明】
１１・・・読み取り手段
１２・・・変換手段
１６・・・送信手段
２５・・・修正手段
４１・・・受信手段
４４・・・表示手段
Ｍ・・・メッセージ用紙
Ｐ１・・・筆記用具（電子ペン）
Ｓ・・・手書きメッセージシステム。
Ｗ１・・・メッセージ記入欄
Ｗ２・・・イラスト欄
Ｗ３・・・選択イラスト欄
【図１】
2004048296.tif 000003
【図２】
2004048296.tif 000004
【図３】
2004048296.tif 000005
【図４】
2004048296.tif 000006
【図５】
2004048296.tif 000007
【図６】
2004048296.tif 000008
【図７】
2004048296.tif 000009
【図８】
2004048296.tif 000010
【図９】
2004048296.tif 000011
【図１０】
2004048296.tif 000012
【図１１】
2004048296.tif 000013
【図１２】
2004048296.tif 000014
【図１３】
2004048296.tif 000015
【図１４】
2004048296.tif 000016
【図１５】
2004048296.tif 000017
【図１６】
2004048296.tif 000018
【図１７】
2004048296.tif 000019
【図１８】
2004048296.tif 000020